(57)【要約】【課題】ホットスティックの荷重の一部を安定して預けることができ、且つ、高さ調節機構を備えたホットスティック支持具を低コストの構成で提供する。【解決手段】ホットスティック支持具１は、スリット２ａ、２ｂが長手方向に形成されたホルダー２を有している。ホルダー２の内側には、ホットスティックの軸端の荷重を受ける軸端受部４が備えられている。外部からスリット２ａ、２ｂを貫通して配置されたボルト６ａ、６ｂがそれぞれ軸端受部４に螺合されている。ボルト６ａにのみ設けられたノブ８を緩めると、軸端受部４をスリット２ａ、２ｂに沿って自由に摺動させることができる。ホルダー２の底側には、角度調節部１２を介してベルト取付部１０が連設されている。【選択図】図１
2018082538.tif 000002
【特許請求の範囲】
【請求項１】
架空電線の間接活線工事においてホットスティックを支持するホットスティック支持具であって、
前記ホットスティックの軸端側を収容可能であり、長手方向に延びるスリットが複数条形成されている筒状のホルダーと、
前記ホルダー内に摺動可能に配置され、収容される前記ホットスティックの軸端の荷重を受ける軸端受部と、
外部から前記スリットを貫通して前記軸端受部に螺合される複数のボルトと、
前記ボルトの一つに取り付けられ、前記軸端受部との間に前記ホルダーを挟圧するための締結操作が可能なノブと、
前記ホルダーと一体に設けられ、作業者の身体の一部に装着される装着部と、
を備えたことを特徴とするホットスティック支持具。
【請求項２】
前記装着部は、前記ホルダーの底部側に連設され、ベルトを幅方向から収容可能な隙間が形成されたベルト取付部であることを特徴とする請求項１に記載のホットスティック支持具。
【請求項３】
前記ホルダーと前記ベルト取付部との間に、屈曲角度を調節可能な角度調節部を備えたことを特徴とする請求項２に記載のホットスティック支持具。
【発明の詳細な説明】
【技術分野】
【０００１】
本発明は、間接活線工事において遠隔操作に用いられるホットスティックを支持するホットスティック支持具に関する。
【背景技術】
【０００２】
架空電線の間接活線工事では、通電状態で作業を行うことから、絶縁のための装備が必須となる。このうち、遠隔位置から作業を行う場合にホットスティックは欠かすことができない。
【０００３】
遠隔操作では、ホットスティックに接続された先端工具を用いて細かな作業を行う必要がある。しかし、先端工具による作業では、視認性が悪くなるので作業対象の状態が把握し難いことに加えて、作業対象からの直接的な感覚が得られないので熟練を要する。
【０００４】
また、不用意な電線への接近又は接触は重大な事故に繋がるため、安全確保の観点から役割分担が細かく行われ、複数の作業者によって慎重に作業が行われる。
【０００５】
ところで、ホットスティックに取り付けられている先端工具は、強度面で優れている金属部材が多く用いられ、高重量のものが多いので、取り回しが容易ではなく、作業者の負担が大きい。
【０００６】
また、体格差のある作業員同士が共同作業を行う場合、高さを合わせるために、一方が腕を高く上げた不自然な姿勢を長時間強いられる場合もある。
【０００７】
上の例のように、筋肉疲労が蓄積し易い状態で過酷な作業を続けると、事故の発生する可能性が高くなり、安全面で問題となる。
【０００８】
このため、従来から、作業者の負担を軽減するための補助具が考えられている。図６は、従来の間接活線工具支持具１０３を用いた作業の様子を示している。
【０００９】
図６では、伸縮機構１０２ｂが付属したホットスティック１０２ａ（間接活線工具１０２）を用いた作業が示されている。そして、作業者１０１のベルト１０３ａには、ホットスティック１０２ａの軸端を保持することのできるポケット１０３ｂが備えられている。これにより、作業者１０１はホットスティック１０２ａの荷重の一部をベルト１０３ａで受けることができるので、腕の疲労を大幅に軽減することが可能となる。このような間接活線工具支持具１０３については、特許文献１に記載がある。
【先行技術文献】
【特許文献】
【００１０】
【特許文献１】特開２０１０−２４６２２６号公報
【発明の概要】
【発明が解決しようとする課題】
【００１１】
しかしながら、上述のホットスティック１０２ａには伸縮機構１０２ｂが付属しているので、先端工具１０２ｃ以外に、伸縮機構１０２ｂを構成する駆動ユニットの重量も加わる。このため、ベルト１０３ａに荷重の一部を預けて作業を行う場合には安定するので作業負担は少ないが、ベルト１０３ａから軸端を取り外して腕の力だけで取回す際には疲労が蓄積される。また、重量の問題だけでなく、伸縮機構１０２ｂが嵩張って周辺の装備に
干渉する恐れがあるので、作業者の動きが制限され、不自然な姿勢による作業が強いられる場合もある。
【００１２】
そこで、本発明は、ホットスティックの荷重の一部を安定して預けることができ、且つ、高さ調節機構を備えたホットスティック支持具を低コストの構成で提供することを目的とする。
【課題を解決するための手段】
【００１３】
上記目的を達成するために、本発明のホットスティック支持具は、架空電線の間接活線工事においてホットスティックを支持するホットスティック支持具であって、前記ホットスティックの軸端側を収容可能であり、長手方向に延びるスリットが複数条形成されている筒状のホルダーと、前記ホルダー内に摺動可能に配置され、収容される前記ホットスティックの軸端の荷重を受ける軸端受部と、外部から前記スリットを貫通して前記軸端受部に螺合される複数のボルトと、前記ボルトの一つに取り付けられ、前記軸端受部との間に前記ホルダーを挟圧するための締結操作が可能なノブと、前記ホルダーと一体に設けられ、作業者の身体の一部に装着される装着部と、を備えたことを特徴とする。
【００１４】
また、本発明のホットスティック支持具は、上記構成に加えて、前記装着部は、前記ホルダーの底部側に連設され、ベルトを幅方向から収容可能な隙間が形成されたベルト取付部であることを特徴とする。
【００１５】
また、本発明のホットスティック支持具は、上記構成に加えて、前記ホルダーと前記ベルト取付部との間に、屈曲角度を調節可能な角度調節部を備えたことを特徴とする。
【発明の効果】
【００１６】
以上のように、本発明によれば、軸端受部に対して、それぞれのスリットを介して独立に複数のボルトが螺合されているので、ノブを備えないボルトについては、スリットを摺動自在となるように調節すると、ノブの操作だけでホルダーに対する軸端受部のロックと解除を切り替えることができる。また、軸端受部は複数のボルトにより支えられるので、ホルダーに対する位置が安定し、スリットに沿ってスムーズに移動させることが可能となる。
【００１７】
また、本発明によれば、上記効果に加えて、隙間にベルトを差し込むだけで容易にホルダーの底部側を固定できるので、ベルトを支点としてホットスティックを安定させることができる。
【００１８】
また、本発明によれば、上記効果に加えて、作業者のベルトに取り付けられるベルト取付部に隣接して角度調節部を備えているので、作業者が手元で必要に応じて細かく屈曲角度を調節できるので、不自然な姿勢を強いられることを簡易な操作で防止でき、作業負担を軽減することが可能となる。
【図面の簡単な説明】
【００１９】
【図１】本発明の第１の実施の形態に係るホットスティック支持具の全体斜視図である。
【図２】図１のホットスティック支持具のＡ−Ａ線でホルダーを切断した一部破断による断面図である。
【図３】図１のホットスティック支持具の使用状態を示す斜視図である。
【図４】図１のホットスティック支持具のベルト取付部の側面図である。
【図５】図１のホットスティック支持具の高さ調節部の作用を説明する図である。
【図６】従来の間接活線工具支持具を用いた作業の様子を示した図である。
【発明を実施するための形態】
【００２０】
以下、本発明の実施の形態に係るホットスティック支持具について図を用いて説明する。
【００２１】
図１は、本発明の第１の実施の形態に係るホットスティック支持具１の全体斜視図である。また、図２は、図１のホットスティック支持具１のホルダー２をＡ−Ａ線の位置で切断した一部破断による断面図を示している。
【００２２】
図１を参照して、ホットスティック支持具１は、筒状のホルダー２を備えている。このホルダー２は、ホットスティック（図示せず）の軸端側の一部を収容するのに十分な深さと内径を有している。このホルダー２には、直径方向に対向する位置に、長手方向へ延びる２条のスリット２ａ、２ｂ（背面のスリット２ｂについては図２に示す。）が形成されている。
【００２３】
ここから図２を併せて参照して、ホルダー２の内側の空間には、ホットスティックの軸端の荷重を受ける軸端受部４が設けられている。図２には、ホットスティック１０２ａの軸端を点線で表している。この軸端受部４に対して、２条のスリット２ａ、２ｂを貫通して配置された２本のボルト６ａ、６ｂがそれぞれ螺合している。これらのボルト６ａ、６ｂのうち、図１の正面側に表れた一方のボルト６ａのみに、締結操作するためのノブ８が設けられている。図１の背面側のボルト６ｂは六角レンチ等の工具を用いて操作することができる。
【００２４】
このように構成されているので、ノブ８が設けられていない側のボルト６ｂについては、軸端受部４がスリット２ｂに沿って摺動可能な程度に僅かに隙間を空けて配置しておくと、ボルト６ａの締結状態をノブ８によって片側から操作することにより、軸端受部４の高さを自在に調節することが可能である。
【００２５】
ホルダー２の底部側には、角度調節部１２が連設されている。この角度調節部１２は、菊座によって係合する構造になっており、側方に設けられたノブ１４を操作することによって、特定刻みの任意の角度に固定することができる。このノブ１４は、上述の軸端受部４のノブ８と同じ側に設けられているので、例えば、片方の手でホットスティック１０２ａを支えた状態で、他方の手で何れの操作も行うことができる。
【００２６】
一方、ホルダー２の上方の開口側には、湾曲状の２箇所の切り欠き２ｃが形成されている。この切り欠き２ｃの曲率半径は、収容されるホットスティック１０２ａの外径と略同じ径となるように形成されているので、軸端を収容する際に位置合わせを容易に行うことができる。
【００２７】
さらに、ホットスティック支持具１には、角度調節部１２を介して、ベルト取付部１０が設けられている。ベルト取付部１０は、ベルトの厚み程度の隙間を設けて略平行に配置された２枚の平板１０ａ、１０ｂを有する断面コの字型に形成されている。この構造については、後に詳しく述べる。本実施の形態において、２枚の平板１０ａ、１０ｂを連接する連接部１０ｃは角度調節部１２を中心としたホルダー２の描く仮想の回動面（図１のＹＺ面に平行な面）と交差する方向に設けられている。言い換えれば、一点鎖線で図示した角度調節部１２の回転軸方向には、何れの方向にも開口している。また、上述の２箇所の切り欠き２ｃは、ホルダー２の上記回動面に沿って並ぶように形成されている。
【００２８】
このように構成されているので、連接部１０ｃ側を上にして作業者のベルトの幅方向上側から引っ掛けるようにしてベルト取付部１０にベルトを収容するだけで容易に作業者と一体に固定することができる。本実施の形態では、連接部１０ｃの反対側（ベルトの収容
口側）には、２つの固定ピン１０ｄ、１０ｅが設けられており、ベルトを収容した状態で下側の開口を閉じることができる。これにより、ベルトの延びる方向への移動を可能としながら、ベルトからの脱落を防止することができるので、ベルトに沿って移動できる範囲内において作業の自由度が向上する。
【００２９】
ここで、図２を中心に、軸端受部４の構造について詳しく述べる。
【００３０】
軸端受部４は、下方へ開口した中空構造を有するベース部４ｂを備えている。スリット２ａ、２ｂを介して挿入されたボルト６ａ、６ｂが、それぞれ独立に、軸端受部４のベース部４ｂに螺合されているのが分かる。
【００３１】
軸端受部４は、ベース部４ｂの上側に円盤状の当接板４ａを有している。この当接板４ａはネジ４ｃによりベース部４ｂに締結固定されいている。これにより、軸端受部４の耐久性を向上させることができる。また、この当接板４ａをクッション性の優れた部材で構成すると、ホットスティック１０２ａの収容時の衝撃を緩和することができ、軸端受部４がスリット２ａ、２ｂに沿って生じる滑りによる位置ずれを防止することができる。
【００３２】
次に、本実施の形態のホットスティック支持具１の使用状態について説明する。図３はホットスティック支持具１の使用状態を示した斜視図である。ここでは、説明の便宜のため、作業者については図示せず、周辺構造との位置関係のみを示す。具体的には、作業者のベルト１０３ａを点線で表している。また、ホルダー２に収容されるホットスティック１０２ａについては、軸端側の構成のみを図示している。
【００３３】
ホルダー２に平行に示した矢印５０の示す方向に軸端受部４をスライドさせることができる。これにより、予め軸端受部４の高さを設定できるだけでなく、作業途中であっても、片手でホットスティック１０２ａを支えながら、ノブ８を緩めて、そのままノブ８を掴んだまま軸端受部４を上下にスライドさせることができる。したがって、作業位置や、共同作業を行う作業相手の体格に応じて、矢印５１の方向への角度調節部１２の角度調節と共に、その場で容易にホットスティック１０２ａの高さ及び角度を変更することができる。
【００３４】
使用後は、ホットスティック１０２ａをホルダー２から抜き取って、角度調節部１２を緩めると、ホルダー２をベルト取付部１０から垂下させた状態で持ち歩くことができるので、他の作業を阻害せず携帯性にも優れている。
【００３５】
次に、ベルト取付部１０の構成について説明する。図４は、ベルト取付部１０の側面図である。既に図１を用いて述べたように、本実施の形態のベルト取付部１０は、２枚の平板１０ａ、１０ｂを平行に配置し、ベルト１０３ａの厚み程度の隙間Ｄを形成している。これら平板１０ａ、１０ｂの一端（図４では上端）を連接し、断面コの字型になるように構成している。本実施の形態の例では、スペーサーとしての連接部１０ｃを介して隙間Ｄを形成しているが、平板１０ａ、１０ｂ及び連接部１０ｃを一体の部材で形成しても構わない。
【００３６】
そして、連接部１０ｃとは逆側（図４では下端）には、下側開口を閉じる方向に付勢された固定ピン１０ｄ、１０ｅが設けられている。この付勢に抗してそれぞれの固定ピン１０ｄ、１０ｅを引いて開かれた開口からベルト１０３ａを容易に収容することができる。なお、本実施の形態では、付勢により開口を閉じる固定ピン１０ｄ、１０ｅによる構成を例として示したが、ボルトによる締結構造であっても構わない。
【００３７】
また、ベルト１０３ａを収容できる隙間Ｄが形成できる構成であれば、ベルト１０３ａを収容していない状態では閉じている板バネを用いたクリップ式の構成であっても構わない。
【００３８】
続いて、ホットスティック支持具１の高さ調節構造の作用について説明する。
【００３９】
図５は、ホルダー２内における軸端受部４周辺の拡大図である。この図５では、ホットスティック１０２ａの軸端を点線で表し、ノブ８が緩められた状態において、軸端受部４にホットスティック１０２ａからの荷重が加わっている様子を示している。ここでは、ボルト６ａ、６ｂの軸方向を一点鎖線Ｌで示している。なお、この図５に示した一点鎖線Ｌの傾斜角は、ホルダー２に対する座金７ｂや軸端受部４からの押圧力Ｆ１、Ｆ２をイメージし易いようにやや強調して模式的に表したものであり、実際は僅かである。
【００４０】
軸端受部４はホルダー２内を摺動可能となる程度の大きさに設計されているので、ホルダー２の内径に対して僅かに小さい外径となっている。このため図５に示すように、ノブ８を緩めれば、ボルト６ａ、６ｂを一点鎖線Ｌのように僅かに傾斜させて配置できる。
【００４１】
したがって、ホットスティック１０２ａからの荷重が軸端受部４に加えられている状態において、万が一、ノブ８に緩みが生じた場合、図５のように傾斜する。
【００４２】
すなわち、ボルト６ｂによって固定されている軸端受部４と座金７ｂとの一定の間隔に比べて、緩んだボルト６ａ側の軸端受部４と座金７ａとの間隔の方が動き易いことに加えて、ノブ８の重量が加わる分だけ、ノブ８側が下がり易くなる。そして、一点鎖線Ｌのように傾斜すると、ボルト６ｂ側の座金７ｂの上端がホルダー２の外壁に強く押し付けられる。また、ボルト６ｂ側の軸端受部４の下端は、ホルダー２の内壁に強く押し付けられる。このように、ホットスティック１０２ａからの荷重を受けている状態においてノブ８が緩んだ場合であっても、摺動側の座金７ｂと軸端受部４との間にホルダー２のスリット２ｂ周辺の壁が噛み込まれた状態となり、急激な落下を防止でき、安全に作業を行うことが可能となる。
【００４３】
なお、上記の実施の形態で述べてきた構成は、本発明の一実施形態を例示するものであり、以下に示すような変形例も含まれる。
【００４４】
上記の実施の形態では、ホルダー２に形成されるスリット２ａ、２ｂが２箇所の構成を例として示した。しかし、スリットは３本以上形成されていても構わない。この場合、ノブが取り付けられるボルトに対して、周方向に少なくとも９０度以上の中心角を有するような配置でスリットを形成すると、図５に示したようなボルトの傾斜による噛み込み作用が顕著となる。
【００４５】
また、上記の実施の形態では、作業者の身体の一部に装着される装着部としてベルト取付部を用いた構成を例として示した。しかし、ホルダーを作業者と一体的に支持できる装着部であれば、ベルト以外の部位に装着する構成でも構わない。
【００４６】
また、上記の実施の形態では、軸端受部４の上側に、厚さが略一定の当接板４ａを有する構成を例として示した。しかし、軸端受部４の上側は水平に形成されている必要はなく、また、当接板４ａも一定の厚さを有するものでなくても構わない。例えば、ノブ８が設けられる側が持ち上がるように凸部が偏って形成されていても構わない。このようにノブ８側が上に突出して形成されていると、ノブ８が緩んだ際に、凸部側が優先して下方への荷重を受けるので、図５に示したような、ノブ８側が下方に下がる作用がより確実なものとなる。
【００４７】
また、上記の実施の形態では、軸端受部４の下方が中空構造となるように形成されている構成を例として示した。しかし、中身が詰まった構成でも構わない。
【００４８】
また、上記の実施の形態では、軸端受部４の上端側に当接板４ａを含む構成を例として示した。しかし、軸端受部４は、一部材で形成されていても構わない。
【００４９】
また、上記の実施の形態では、角度調節部１２は、一方向にのみ回動可能な構成を例として示した。しかし、特定の角度で安定してロックできる構成であれば、自在継手のように３６０度自在に屈曲可能な構成であっても構わない。
【産業上の利用可能性】
【００５０】
本発明のホットスティック支持具は、ホルダーと一体に装着部を有しているので、作業者のベルトなどに固定する以外に、電柱に取り付けられたベルトなどに対しても用いることが可能である。
【符号の説明】
【００５１】
１      ホットスティック支持具
２      ホルダー
２ａ、２ｂ      スリット
２ｃ      切り欠き
４      軸端受部
４ａ      当接板
４ｂ      ベース部
４ｃ      ネジ
６ａ、６ｂ      ボルト
７ａ、７ｂ      座金
８      ノブ
１０      ベルト取付部（装着部）
１０ａ、１０ｂ      平板
１０ｃ    連接部
１０ｄ、１０ｅ    固定ピン
１２      角度調節部
１４      ノブ
１００        電線
１０１      作業者
１０２      間接活線工具
１０２ａ    ホットスティック
１０２ｂ    伸縮機構
１０３      間接活線工具支持具
１０３ａ    ベルト
１０３ｂ    ポケット
Ｄ      隙間
Ｌ      一点鎖線
Ｆ１、Ｆ２    押圧力
【図１】
2018082538.tif 000003
【図２】
2018082538.tif 000004
【図３】
2018082538.tif 000005
【図４】
2018082538.tif 000006
【図５】
2018082538.tif 000007
【図６】
2018082538.tif 000008